(57)【要約】 【課題】試験操作を操作者の経験の差に関係なく、給水加熱器の漏洩試験を確実に、しかも、時間を短縮して行うことができるようにした新規な給水加熱器漏洩試験方法を提供するものである。【解決手段】各給水加熱器漏洩試験のための試験前状況及び確認の試験条件チェックリスト３０と、各給水加熱器漏洩試験前の各給水加熱器の各部の操作、確認のチェックリスト３１，３２と、各給水加熱器漏洩試験中の漏洩チェックリスト３３と、復旧操作のための各部の完了操作のチェックリスト３４とを具備する給水加熱器漏洩試験要領書を設けるとともに、各給水加熱器漏洩試験のための、測定時刻及び測定時刻毎の測定項目を記録する給水加熱器漏洩試験記録表を設け、上記給水加熱器漏洩試験要領書に従い操作、確認チェックをし、上記給水加熱器漏洩試験記録表に記録して給水加熱器漏洩試験を行うようにした【選択図】図１
2008064392.tif 000002
【特許請求の範囲】
【請求項１】
各給水加熱器漏洩試験のための試験前状況及び確認の試験条件チェックリストと、各給水加熱器漏洩試験前の各給水加熱器の各部の操作、確認のチェックリストと、各給水加熱器漏洩試験中の漏洩チェックリストと、復旧操作のための各部の完了操作のチェックリストとを具備する給水加熱器漏洩試験要領書を設けるとともに、各給水加熱器漏洩試験のための、測定時刻及び測定時刻毎の測定項目を記録する給水加熱器漏洩試験記録表を設け、上記給水加熱器漏洩試験要領書に従い操作、確認チェックをし、上記給水加熱器漏洩試験記録表に記録して給水加熱器漏洩試験を行うようにした給水加熱器漏洩試験方法。
【請求項２】
上記給水加熱器漏洩試験要領書の各給水加熱器漏洩試験前の各給水加熱器の各部の操作、確認のチェックリストが高圧給水加熱器のチェックリストと低圧給水加熱器のチェックリストに分けてある上記請求項１に記載の給水加熱器漏洩試験方法。
【請求項３】
上記給水加熱器漏洩試験記録表の測定時刻毎の測定項目が各給水加熱器の管及び胴の温度と水位レベルである上記請求項１又は２に記載の給水加熱器漏洩試験方法。
【請求項４】
上記給水加熱器漏洩試験記録表の記録結果をコンピューターに記録する上記請求項１〜３の何れかに記載の給水加熱器漏洩試験方法。
【発明の詳細な説明】
【技術分野】
【０００１】
本発明は、蒸気圧によりタービンを回転し、発電機を作動する発電装置の復水系統中の低圧給水加熱器及び給水系統中の高圧給水加熱器の漏洩試験方法に関する。
【背景技術】
【０００２】
火力発電装置では、低圧タービンの復水器からの復水系統中に低圧給水加熱器を配し、復水系統末端の脱気器から導き出される給水系統中に高圧給水加熱器を配し、この給水系統はボイラーに接続される。
図４に給水加熱概略系統図が示してある。図４に示す通り、復水器１０から脱気器１１までに達する復水ポンプ１２を介在する復水系統１３中に、第１低圧給水加熱器（１ヒータ）１、第２低圧給水加熱器（２ヒータ）２、第３低圧給水加熱器（３ヒータ）３及び第４低圧給水加熱器（４ヒータ）４を配置してある。
脱気器１１からボイラー１４までに達する給水ポンプ１６を介在する給水系統１５中に第６高圧給水加熱器（６ヒータ）６、第７高圧給水加熱器（７ヒータ）７及び第８高圧給水加熱器８（８ヒータ）を配置してある。
この他、図中１７は高圧タービン、１８は中圧タービン、１９は低圧タービン、２０は発電機である。また、ボイラー１４から高圧タービンまで主蒸気系統２１が配され、高圧タービン１４から中圧タービン１８までボイラーを介在して再熱蒸気系統２２が配され、また、中圧タービン１８から各高圧給水加熱器６，７，８まで抽気系統２３が配され、この各高圧給水加熱器６，７，８から脱気器１１までドレン系統２４が接続され、さらに復水器１０から各低圧給水加熱器１，２，３，４まで抽気系統２５が配され、これら低圧給水加熱器１，２，３，４から復水器１０までドレン系統２６が配されている。
【０００３】
この発電装置では、従前、装置の作動停止時に各給水加熱器の健全性を確認するため、給水加熱器系統図でチェックしながら各給水加熱器の漏洩試験操作を行っていた。
【発明の開示】
【発明が解決しようとする課題】
【０００４】
この各給水加熱器の漏洩試験は、操作個所が多伎にわたるため、設備の知識やノウハウを持った一部のベテランに頼る必要があった。それでも、試験手順や操作弁の確認等の準備が必要であり、そのために多くの時間がかかるという課題があった。さらに、万一試験操作を誤ると、人身災害や設備事故に繋がるおそれがあるという課題があった。
本発明は、上記の課題に鑑み、試験操作を操作者の経験の差に関係なく、給水加熱器の漏洩試験を確実に、しかも、時間を短縮して行うことができるようにした新規な給水加熱器漏洩試験方法を提供するものである。
【課題を解決するための手段】
【０００５】
そのために、本発明給水加熱器漏洩試験方法は、各給水加熱器漏洩試験のための試験前状況及び確認の試験条件チェックリストと、各給水加熱器漏洩試験前の各給水加熱器の各部の操作、確認のチェックリストと、各給水加熱器漏洩試験中の漏洩チェックリストと、復旧操作のための各部の完了操作のチェックリストとを具備する給水加熱器漏洩試験要領書を設けるとともに、各給水加熱器漏洩試験のための、測定時刻及び測定時刻毎の測定項目を記録する給水加熱器漏洩試験記録表を設け、上記給水加熱器漏洩試験要領書に従い操作、確認チェックをし、上記給水加熱器漏洩試験記録表に記録して給水加熱器漏洩試験を行うようにしたものである。
【０００６】
また、本発明給水加熱器漏洩試験方法は、上記給水加熱器漏洩試験要領書の各給水加熱器漏洩試験前の各給水加熱器の各部の操作、確認のチェックリストが高圧給水加熱器のチェックリストと低圧給水加熱器のチェックリストに分けてあるとよい。
さらに、本発明給水加熱器漏洩試験方法は、上記給水加熱器漏洩試験記録表の測定時刻毎の測定項目が各給水加熱器の管及び胴の温度と水位レベルである。
また、本発明給水加熱器漏洩試験方法は、上記給水加熱器漏洩試験記録表の記録結果をコンピューターに記録するものである。
【発明の効果】
【０００７】
本発明の給水加熱器漏洩試験方法は、各給水加熱器漏洩試験のための試験前状況及び確認の試験条件チェックリストと、各給水加熱器漏洩試験前の各給水加熱器の各部の操作、確認のチェックリストと、各給水加熱器漏洩試験中の漏洩チェックリストと、復旧操作のための各部の完了操作のチェックリストとを具備する給水加熱器漏洩試験要領書を設けるとともに、各給水加熱器漏洩試験のための、測定時刻及び測定時刻毎の測定項目を記録する給水加熱器漏洩試験記録表を設け、上記給水加熱器漏洩試験要領書に従い操作、確認チェックをし、上記給水加熱器漏洩試験記録表に記録して給水加熱器漏洩試験を行うようにしたものであるから、操作者が、上記給水加熱器漏洩試験要領書に基づき、各チェックリストに従って操作、確認をし、且つチェックをし、上記給水加熱器漏洩試験記録表に記録して給水加熱器の漏洩試験を行う。従って、この漏洩試験を設備の知識やノウハウを持つ一部のベテランの操作者でなくとも、即ち、操作者の経験の差に関係なく、給水加熱器の漏洩試験を確実に、しかも、時間を短縮して行うことができる効果がある。しかも、本発明方法では発電装置を完全に停止、冷却した状態でなく、停止、冷却途中の過程で漏洩試験を行うことができる利点もある。
【発明を実施するための最良の形態】
【０００８】
図１が本発明給水加熱器漏洩試験に使用される給水加熱器漏洩試験要領書で、この給水加熱器漏洩試験要領書には、試験前状況及び確認の試験条件チェックリスト３０と、各高圧給水加熱器の漏洩試験前の各部の操作、確認のチェックリスト３１と、同じく各低圧給水加熱器の漏洩試験前の各部の操作、確認のチェックリスト３２と、各給水加熱器漏洩試験中の漏洩チェックリスト３３と、復旧操作のための各部の完了操作のチェックリスト３４とを表示して具備してある。
【０００９】
上記試験前状況及び確認の試験条件チェックリストには、ボイラーが強制冷却中であることの確認のチェック欄、各給水加熱器（ヒータ）の水面計の漏洩、汚れなしの確認のチェック欄及び各給水加熱器（ヒータ）の水面計レベル確認のチェック欄を設けてある。
【００１０】
また、各高圧給水加熱器（ヒータ）の漏洩試験前の各部の操作、確認のチェックリスト３１には、各高圧給水加熱器８，７，６（ヒータ）の蒸気入口弁、その他６ヒータドレンブロー弁、６ヒータ復水器入口弁他各弁等の全閉、ＣＳ閉引ロックの操作、確認のチェック欄を設けてあり、同じく各低圧給水加熱器（ヒータ）の漏洩試験前の各部の操作、確認チェックリスト３２にも各低圧給水加熱器４、３（ヒータ）の蒸気入口弁他各弁、各部の全閉、閉止又はＣＳ閉引ロックの操作、確認のチェック欄を設けてある。
【００１１】
さらに、各給水加熱器漏洩試験中の漏洩チェックリスト３３には、各給水加熱器の水面計の現在レベルを記録することが指示されており、また、ドレンタンク水面計の現在レベルも記録することが指示されている。
この記録は、図２に示す給水加熱器漏洩試験記録表に記録するもので、これは測定時刻毎即ち３０分おきに又は１時間おきに５時間程かけて、各給水加熱器につき記録する。同時に各給水加熱器の管と胴の温度も測定し、記録表に記録する。この水面計のレベルが前回試験の記録と差がないことが漏洩のないことを示すもので、前回試験の記録と差があると漏洩があることを示し、確認することが必要である。
【００１２】
次に、上記漏洩チェック作業を終えた後、各部の復旧操作をするが、復旧操作のための各部の完了操作のチェックリスト３４には、高圧給水加熱器の胴空気抜弁、ドレン管ウォーミング出口弁、低圧給水加熱器の胴空気抜弁等各部のＣＳ自動の完了操作又は閉完了操作のチェック欄が設けてある。
【００１３】
上記の通り、本発明給水加熱器漏洩試験要領書に基づき、操作者は、先ず試験前状況及び確認の試験条件チェックリスト３０に従って各項目を確認し、チェック欄にチェックする。次いで各高圧給水加熱器の漏洩試験前の各部の操作、確認のチェックリスト３１の各項目に従い各部材の操作、確認を行いチェック欄にチェックする。同様にして各低圧給水加熱器の漏洩試験前の各部の操作、確認のチェックリスト３２の各項目に従い、各部材の操作、確認を行い、チェック欄にチェックする。このようにして全ての各部の操作、確認のチェックが完了して安全に漏洩試験を行うことができる。
【００１４】
次いで、上記した通り、各給水加熱器漏洩試験中の漏洩チェックリスト３３に従い、各給水加熱器の水面計の現在レベルを記録する。この記録は図２に示す給水加熱器漏洩試験記録表に記録するもので、測定時刻の欄に試験時刻を記録する。同時に各給水加熱器の管と胴の温度も測定し、記録表に記録する。この試験は３０分から１時間おきに５時間程度かけて試験し記録する。この試験記録の一例を図３に示した。この試験で各給水加熱器の水面計の現在レベルが過去の記録特に前回試験の記録と差がないことが漏洩のないことを示す。
【図面の簡単な説明】
【００１５】
【図１】本発明給水加熱器漏洩試験に使用する給水加熱器漏洩試験要領書を示す図。
【図２】同じく本発明給水加熱器漏洩試験に使用する給水加熱器漏洩試験記録表を示す図。
【図３】給水加熱器漏洩試験記録表に試験結果が記録された一例を示す図。
【図４】給水加熱概略系統図である。
【符号の説明】
【００１６】
１  第１低圧給水加熱器（１ヒータ）
２  第２低圧給水加熱器（２ヒータ）
３  第３低圧給水加熱器（３ヒータ）
４  第４低圧給水加熱器（４ヒータ）
６  第６高圧給水加熱器（６ヒータ）
７  第７高圧給水加熱器（７ヒータ）
８  第８高圧給水加熱器（８ヒータ）
１０  復水器
１１  脱気器
１２  復水ポンプ
１３  復水系統
１４  ボイラー
１５  給水系統
１６  給水ポンプ
１７  高圧タービン
１８  中圧タービン
１９  低圧タービン
２０  発電機
２１  主蒸気系統
２２  再熱蒸気系統
２３  抽気系統
２４  ドレン系統
２５  抽気系統
２６  ドレン系統
３０  試験前状況及び確認の試験条件チェックリスト
３１  各高圧給水加熱器の漏洩試験前の各部の操作、確認のチェックリスト
３２  各低圧給水加熱器の漏洩試験前の各部の操作、確認のチェックリスト
３３  各給水加熱器漏洩試験中の漏洩チェックリスト
３４  復旧操作のための各部の完了操作のチェックリスト
【図１】
2008064392.tif 000003
【図２】
2008064392.tif 000004
【図３】
2008064392.tif 000005
【図４】
2008064392.tif 000006